(57)【要約】【課題】  操作にさほど力がかからず、電気的接続を確実に行うことができるロータリーディップスイッチを提供する。【解決手段】  ロータ（７０）の外周面（７１３）の一部分は表面（７１２）及び底面（７１２）のいずれかに対して所定の角度に傾斜すると共に間を開けて凹部（７１６）を設けている。カバー（８０）の上部プレートの２つの対向する端部から下方へ曲げられた２つの折曲げ片(８４)に、折曲げ片（８４、８４）の平面から内側に屈曲されてロータ（７０）の外周面（７１３）に対向されるように舌片（８６、８６）が押し曲げられ、舌片（８６、８６）にクリック突部（８６３、８６３）が外周面（７１３）の斜面部分（７１５）と弾性的接触し、前記外周面の凹部（７１６）と係脱自在にするように内側に形成されている。【選択図】図３
2010176935.tif 000002
【特許請求の範囲】
【請求項１】
表面から下方へくり抜くように形成されている円形凹部を有し、円形凹部の底面に支えのピボットが設けられている絶縁性ハウジングと、
前記ハウジングに埋設され、先端の固定コンタクトが前記円形凹部から露出する複数の固定接触端子と、
前記固定コンタクトと接触するための可動コンタクトを備え、前記ピボットに挿通されて固定される金属製コンタクト板と、
円板状をして前記円形凹部において前記コンタクト板の上に配置され、前記ハウジング側の底面と該底面と逆の表面を有し、該底面に前記ピボットに嵌挿して定位されるための中央孔及び前記コンタクト板の複数の所定の可動コンタクトを押圧するための複数の突出した押圧部を形成し、前記表面と前記底面を連接し、その一部分は前記表面及び前記底面のいずれかに対して所定の角度に傾斜すると共に間を開けて複数の凹部を設けた外周面があるロータと、
前記ロータをカバーして、円形中央開口を有する上部プレートと、上部プレートの２つの対向する端部から下方へ延伸して前記ハウジングと係合される２つの脚片と、前記上部プレートの他の２つの対向する端部から下方へ曲げられた２つの折曲げ片とからなり、前記折曲げ片に前記折曲げ片の平面から内側に屈曲されて前記ロータの外周面に対向されるように舌片が押し曲げられ、前記舌片にクリック突部が前記外周面と弾性的接触し、前記ロータの凹部と係合自在に内側に形成されているカバーと、
を備えたことを特徴とするロータリーディップスイッチ。
【請求項２】
前記ロータは、前記表面から円板部が前記カバーの前記円形開口側に突出し、前記円板部に前記カバーの前記円形開口に露出するドライバ溝が形成されていることを特徴とする請求項１に記載のロータリーディップスイッチ。
【請求項３】
前記外周面は、前記表面及び前記底面のいずれかに対して所定の角度に傾斜する環状斜面部分と、前記表面及び前記底面のいずれかに対して垂直である環面部分とをそなえたことを特徴とする請求項２に記載のロータリーディップスイッチ。
【請求項４】
前記外周面の前記斜面部分は、前記底面から前記表面へ内側に１５〜７０度の角度で傾斜することを特徴とする請求項３に記載のロータリーディップスイッチ。
【請求項５】
前記外周面の前記斜面部分は、前記底面から前記表面へ内側に４５度の角度で傾斜することを特徴とする請求項４に記載のロータリーディップスイッチ。
【請求項６】
前記外周面の前記斜面部分は、前記底面から前記表面へ外側に１５〜７０度の角度で傾斜することを特徴とする請求項３に記載のロータリーディップスイッチ。
【請求項７】
前記外周面の前記斜面部分は、前記底面から前記表面へ外側に４５度の角度で傾斜することを特徴とする請求項６に記載のロータリーディップスイッチ。
【請求項８】
前記凹部は、それぞれの開口幅が外側から内側に先細りするＶの字形をし、
前記カバーは薄い金属板で製造され、
前記舌片の前記クリック突部は、前記凹部を係止自在に受け入れるようＶの字形をすることを特徴とする請求項１に記載のロータリーディップスイッチ。
【発明の詳細な説明】
【技術分野】
【０００１】
本発明はスイッチに関し、特にロータリーディップスイッチに関する。
【背景技術】
【０００２】
図１及び図２は従来のロータリーディップスイッチの一例（特許文献１）を示す分解斜視図、ロータ１６をカバー１７で蓋したときの側面断面図である。従来のロータリーディップスイッチ１０は、図１及び図２に示されているように、絶縁の成形品でなるハウジング１１と、該ハウジング１１に埋込まれた複数の金属製端子１２と、ハウジング１１の上に設けられて金属のコンタクト板１３を収容する円形凹部１１０と、該円形凹部１１０の上に設けられた抑え片１４と、ハウジング１１の上に設けられたオーリング１５と、該オーリング１５を反対側から押圧するようにハウジング１１の上に円板状をして回転自在に設けられた絶縁成形品のロータ１６と、ロータ１６をカバーし、ハウジング１１と係合されているカバー１７とを備えている。
【０００３】
ロータ１６は、ドライバなどの工具（図示せず）を受け入れるための十字型のドライバ溝１６１１が形成された上面１６１と、コンタクト板１３の複数の所定の可動コンタクト１３１、１３１、・・・を押圧するための複数の突出した押圧部１６４を有する底面１６２と、波型にデザインされて上面１６１と底面１６２を連接する外周面１６３とを有する。
【０００４】
カバー１７は、ロータ１６の上面１６１を受け入れ、中央部にドライバ溝１６１１部分を露出させる円形開口１７１が形成された上部プレート１７２と、上部プレート１７２の二つの対向する端部から下方へ延伸してハウジング１１と係合される２つの脚片１７３、１７３と、上部プレート１７２の他の二つの対向する端部から下方へ延伸する２つの折曲げ片１７５、１７５を有する。各折曲げ片１７５は、ロータ１６の外周面１６３のいずれかの波部分に弾性的に当接するクリック突起１７４を有する。
【先行技術文献】
【特許文献】
【０００５】
【特許文献１】特開平１１―３９９９７号公報
【発明の概要】
【発明が解決しようとする課題】
【０００６】
従来のロータリーディップスイッチ１０においては、ロータ１６を回転し、クリック突起１７４が外周面のいずれかの波部分に弾性的に接触すると共に、押圧部１６４により対応する可動コンタクト１３１を押圧することで対応する端子１２と電気的に接触すると、出力信号を発することができるが、カバー１７の折曲げ片１７５のクリック突起１７４を用いて、ロータ１６の外周面１６３に当接するとき、ロータ１６の外周面１６３には径方向の力Ｆｘのみが弾性的にかかることとなる。即ち、可動コンタクト１３１と対応する端子１２には力がかからず、電気的接続を確実にすることができない。また、クリック突部１７４がロータ１６の外周面１６３の波部分に対して直角に摺りながら係脱を行うので、ロータ１６を回転させるのに力が要るという問題がある。
【０００７】
本発明は、上記問題点に鑑みてなされたものであり、操作にさほど力がかからず、電気的接続を確実に行うことができるロータリーディップスイッチを提供することを目的とする。
【課題を解決するための手段】
【０００８】
上記課題を解決するために、本発明は、表面から下方へくり抜くように形成されている円形凹部を有し、円形凹部の底面に支えのピボットが設けられている絶縁性ハウジングと、前記ハウジングに埋設され、先端の固定コンタクトが前記円形凹部から露出する複数の固定接触端子と、前記固定コンタクトと接触するための可動コンタクトを備え、前記ピボットに挿通されて固定される金属製コンタクト板と、円板状をして前記円形凹部において前記コンタクト板の上に配置され、前記ハウジング側の底面と該底面と逆の表面を有し、該底面に前記ピボットに嵌挿して定位されるための中央孔及び前記コンタクト板の複数の所定の可動コンタクトを押圧するための複数の突出した押圧部を形成し、前記表面と前記底面を連接し、その一部分は前記表面及び前記底面のいずれかに対して所定の角度に傾斜すると共に間を開けて凹部を設けた外周面があるロータと、前記ロータをカバーして、円形中央開口を有する上部プレートと、上部プレートの２つの対向する端部から下方へ延伸して前記ハウジングと係合される２つの脚片と、前記上部プレートの他の２つの対向する端部から下方へ曲げられた２つの折曲げ片とからなり、前記折曲げ片に前記折曲げ片の平面から内側に屈曲されて前記ロータの外周面に対向されるように舌片が押し曲げられ、前記舌片の内側にクリック突部が前記外周面と弾性的接触するように形成されているカバーと、を備えたロータリーディップスイッチを提供する。
【０００９】
また、前記ロータは、前記表面から円板部が前記カバーの前記円形開口側に突出し、前記円板部に前記カバーの前記円形開口に露出するドライバ溝が形成されていることが好ましい。
【００１０】
また、前記外周面は、前記底面から前記表面へ内側に１５〜７０度の角度、より好ましくは４５度の角度で傾斜することとする。
【００１１】
また、前記外周面は、前記底面から前記表面へ外側に１５〜７０度の角度、より好ましくは４５度の角度で傾斜することとしてもよい。
【００１２】
また、前記外周面の凹部は、それぞれの開口幅が外側から内側に先細りするＶの字形をし、前記カバーは、薄い金属板で製造され、前記舌片の前記クリック突部は、前記外周面の凹部を係止自在に受け入れるようＶの字形をすることが好ましい。
【発明の効果】
【００１３】
本発明のロータリーディップスイッチによれば、舌片のクリック突部が傾斜している凹凸状外周面の斜面部分と弾性的接触すると、クリック突部が外周面の斜面部分に対する押圧力は、ロータの径方向にかかる分力と、下向きにコンタクト板に押し付ける分力とに分けることができることから、カバーのクリック突部が凹凸状外周面に強く押し付けることなくほどよく弾性的に押圧しながら、ロータがコンタクト板へ下向きに押し付けることができる。したがって、クリック突部が凹凸状外周面に対する摩擦が軽減し、ロータをより容易に回転させることができ、また、コンタクト板が固定コンタクトに対する垂直接触性を向上し電気的接続をより確実にすることができる。
【図面の簡単な説明】
【００１４】
【図１】従来のロータリーディップスイッチの分解斜視図である。
【図２】組み立てられた状態の、図１の従来のロータリーディップスイッチのカバーおよび回転部材の断面図である。
【図３】本発明の第１の好ましい実施例による、ロータリーディップスイッチの分解斜視図である。
【図４】第１の好ましい実施例のロータの底の部分の斜視図である。
【図５】組み立てられた状態の、第１の好ましい実施例の斜視図である。
【図６】図５の線ＶＩ〜ＶＩに沿って切断したときの第１の好ましい実施例の断面図である。
【図７】図６における第１の好ましい実施例の部分拡大断面図である。
【図８】図６と類似するが、ロータを他の位置にした場合の参考図である。
【図９】第１の好ましい実施例において、カバーとロータとオーリングを外した場合の概略上面図である。
【図１０】本発明の第２の好ましい実施例による、ロータリーディップスイッチの分解斜視図である。
【図１１】組み立てられた状態の、第２の好ましい実施例の断面図である。
【図１２】図１１における第２の好ましい実施例の部分拡大断面図である。
【図１３】図１１と類似するが、ロータを他の位置にした場合の参考図である。
【発明を実施するための形態】
【００１５】
本発明についてより詳細に記載する前に、本明細書においては類似の構成に同一の符号が付されていることを明らかにしておく。
【００１６】
図３は、本発明の第１の好ましい実施例による、ロータリーディップスイッチの分解斜視図である。図４は、このロータリーディップスイッチにおけるロータの底よりの斜視図である。図５は、組み立てられた状態の、第１の好ましい実施例の斜視図である。図６は、図５の線ＶＩ〜ＶＩに沿って切断したときの第１の好ましい実施例の断面図である。図７は、図６における第１の好ましい実施例の部分拡大断面図である。図８は、図６と類似するが、ロータを他の位置にした場合の参考図である。図９は、第１の好ましい実施例において、カバーとロータとオーリングを外した場合の概略上面図である。
【００１７】
図３〜９を参照して、本発明の第一の好ましい実施例におけるロータリーディップスイッチは、ハウジング２０と、コンタクトターミナルユニット３０と、コンタクト板４０と、抑え片５０と、オーリング６０と、ロータ７０と、カバー８０とからなる。ハウジング２０内にコンタクトターミナルユニット３０と、コンタクト板４０と、抑え片５０と、オーリング６０とを収納しながらカバー８０により一番上のロータ７０をカバーし、ハウジング２０と係合されている。
【００１８】
ハウジング２０は、表面２１１と、該表面２１１と逆の底面２１２と、表面２１１の四角から上に延伸する４つの支柱２２、２２、２２、２２と、表面２１１から下に向かってえぐられ円形凹部２３を形成する周囲壁２３１と底板２３２と、円形凹部２３において底板２３２から突設されたピボット２４を有する。底板２３２には、円形凹部２３と空間的に連通する複数の切欠部２３２１が形成されている。
【００１９】
コンタクトターミナルユニット３０は、ハウジング２０に埋設されている第１から第５の固定接触端子３１、３２、３３、３４、３５を備える。第３の固定接触端子３３は、第１及び第５の固定接触端子３１、３５と第２及び第４の固定接触端子３２、３４の間に配置され、第１及び第５の固定接触端子３１、３２は、第３の固定接触端子３３の一側にあり、第２及び第４の固定接触端子３４、３５は、第３の固定接触端子３３の他側に配置されている。第１〜第５の固定接触端子３１、３２、３３、３４、３５は、それぞれの先端に切欠部２３２１、２３２１、・・・を通じて円形凹部２３において露出し下方にやや折り曲げられる固定コンタクト３１１、３２１、３３１、３４１、３５１を有する。
【００２０】
コンタクト板４０は、中央部４２に貫通孔４１があり、中央部４２から外側に延伸する第１及び第２の連結部４３、４４と、第１及び第２の連結部４３、４４から折れ曲がるように互いに延伸する第１及び第２の可動コンタクト４５、４６と、中央部４２と第１及び第２の可動コンタクト４５、４６の間で第１の連結部４３から折れ曲がるように延伸する第３の可動コンタクト４７と、第１の連結部４３から第１の可動コンタクト４５と反対側に折れ曲がるように延伸する第４の可動コンタクト４８と、中央部４２と第４の可動コンタクト４８の間で第２の連結部４４から折れ曲がるように延伸する第５の可動コンタクト４９を有する。ハウジング２０の円形凹部２３の中で、第１から第５の固定接触端子３１、３２、３３、３４、３５の上に配置され、ピボット２４に挿通されて固定される。第２から第５の可動コンタクト４６、４７、４８、４９はそれぞれ、ロータ７０側に隆起した箇所を有する。
【００２１】
抑え片５０は、ピボット２４に挿通される貫通孔５１があり、円形凹部２３の中でコンタクト板４０より上に配置される。抑え片５０には、第２〜５の可動コンタクト４６、４７、４８、４９の隆起部が露出する４つの整列配置された小穴５２、５２、５２、５２が設けられている。
【００２２】
オーリング６０は、支柱２２と円形凹部２３の間における表面２１１の上に配置されている。
【００２３】
ロータ７０は、本体７１が円板状をし、前記ハウジング２０の円形凹部２３においてコンタクト板４０の上に配置され、該ハウジング２０側の底面７１１と該底面７１１と逆の表面７１２を有し、該底面７１１にリング壁７２が突出てハウジング２０の円形凹部２３に挿入されて定位され、リング壁７２内にピボット２４に嵌挿されて定位されるための中央孔７３１を形成する円筒壁７３が突出ている。リング壁７２及び円筒壁７３の間にコンタクト板４０の複数の所定の可動コンタクト４５〜４９を押圧するための複数の押圧部７４、７４、・・・を突出して形成している。表面７１２に円板部７５がカバー８０側に突出し、従来と同様に、円板部７５の表面から下方にくり抜いてドライバなどの工具（図示せず）を受け入れるための十字型のドライバ溝７６が形成され、ベアリング部材７７、７７、・・・が表面７１２から突出て円板部７５を囲うように設けられている。ロータ７０は、表面７１２と底面７１１を連接する外周面７１３があり、外周面７１３の一部分は表面７１２及び底面７１１のいずれかに対して所定の角度に傾斜する。
【００２４】
カバー８０は、薄い金属板からできていて、円形開口８１を有する上部プレート８２と、上部プレート８２の２つ対向する端部から下方へ延伸する脚片８３と、上部プレート８２の２つの対向する端部から下方へ曲げられた２つの折曲げ片８４、８４とからなる。折曲げ片８４、８４はいずれも逆のＵの字形切溝８５を有し、切溝８５により折曲げ片８４、８４の平面から内側に屈曲されてロータ７０の外周面７１３に対向されるように舌片８６が押し曲げられている。舌片８６、８６には、クリック突部８６３、８６３が外周面７１３と男性的接触するように内側へ形成されている。
【００２５】
この例では、図３、６に示すように、外周面７１３は、斜面部分である一部分７１５が底面７１１から表面７１２へ向って内側に１５〜７０度の角度、より好ましくは４５度の角度で傾斜し、他部分７１４は、表面７１２から底面７１１へ下向きに垂直する環面部分としてある。外周面７１３の斜面部分７１５に間を開けて凹部７１６、７１６、・・・を設けている。凹部７１６のいずれは、図示の如く例えばそれぞれの開口幅が外側から内側に先細りするＶの字形をする。これに対応して舌片８６のクリック突部８６３は、外周面７１３の凹部７１６を係止自在に受け入れるようＶの字形をもする。
【００２６】
図３〜６を再び参照する。本発明のロータリーディップスイッチは、まずコンタクト板４０と抑え片５０が円形凹部２３に配置され、表面２１１に配置されるようオーリング６０がそれに続いて配置される。その後、ロータ７０の底面７１１がオーリング６０に対して押圧するように、リング壁７２が、円形凹部２３に嵌入されると共に、ドライバ溝７６がカバー８０の円形開口８１から露出するように、ロータ７０はカバー８０に覆われる。それからカバー８０の脚片８３は、ツール（図示せず）を用いてハウジング２０に係合される。このときに、上部プレート８２はベアリング部材７７の上に位置し、舌片８６のクリック突部８６３はロータ７０の外周面７１３の斜面部分７１５に弾性的に当接する。図示のように、使用中にはロータ７０の回転による押圧部７４が回転して第１〜５の可動コンタクト４５〜４９の１つを押して第１〜５のコンタクト３１１、３２１、３３１、３４１、３５１の１つと電気的に接続させることにより出力信号を発生させることができる。このとき、舌片８６のクリック突部８６３が傾斜している凹凸状外周面７１３の斜面部分７１５と弾性的接触すると、クリック突部８６３が外周面７１３の斜面部分７１５に対する押圧力Ｆは、ロータ７０の径方向にかかる分力Ｆｘと、下向きにコンタクト板４０に押し付ける分力Ｆｙとに分けることができることから、クリック突部８６３が凹凸状外周面７１３に強く押し付けずにほどよく弾性的に押圧しながら、ロータ７０がコンタクト板４０へ下向きに押し付けることができる。したがって、クリック突部８６３が凹凸状外周面７１３に対して力強く押圧することなくほどよく押し付けることができるので、ロータ７０をより容易に回転させることができる。また、コンタクト板４０の可動コンタクトがコンタクトターミナルユニット３０の固定コンタクトに対する垂直接触性が向上し、電気的接続をより確実にすることができる。特筆すべきは、ロータ７０が回転している間、クリック突部８６３が対応するＶの字形の凹部７１６に係合されると、生じる振動によりクリック感を得ることができる。
【００２７】
次に、本発明の第２の好ましい実施例によるロータリーディップスイッチについて説明する。図１０は、本発明の第２の好ましい実施例による、ロータリーディップスイッチの分解斜視図である。図１１は、組み立てられた状態の、第２の好ましい実施例の断面図である。図１２は、図１１における第２の好ましい実施例の部分拡大断面図である。図１３は、図１１と類似するが、ロータを他の位置にした場合の参考図である。
【００２８】
本実施例は、前記第１の実施例と違って、ロータ７０´の本体７１´の外周部７１３´は、一部分が底面７１１´から表面７１２´側に向って外側に傾斜する斜面部分７１５´と、他部分が斜面部分７１５´に続いて傾斜せずに表面７１２´側に垂直に延伸する環面部分７１４´とがある。底面７１１´側の斜面部分７１５´に間をおいて切りいれて複数の凹部７１６´を形成している。なお、この例では、斜面部分７１５´としては、底面７１１´から表面７１２´へ外側に１５〜７０度の角度、より好ましくは４５度の角度で傾斜する構成とする。
【００２９】
カバー８０´は、上部プレート８２に続いて折曲げ片８４´、８４´の平面から内側に屈曲されてロータ７０´の外周面７１３´に対向されるように舌片８６´、８６´が押し曲げられ、舌片８６´、８６´にクリック突部８６３´、８６３´が舌片８６´、８６´の平面からさらに内側に折り曲げられて外周面７１３´に弾性的に接触して凹部７１６´と係合するように形成されている。
【００３０】
第２の好ましい実施例の構成が図示のように組み立てられたあと、前記第１の例と同様に、舌片８６´のクリック突部８６３´が傾斜している凹凸状外周面７１３´の斜面部分７１５´と弾性的接触すると、クリック突部８６３´が外周面７１３´の斜面部分７１５´に対する押圧力Ｆも、ロータ７０´の径方向にかかる分力Ｆxと、下向きにコンタクト板４０に押し付ける分力Ｆyとに分けることができることから、クリック突部８６３´が凹凸状外周面７１３´に強く押し付けずにほどよく弾性的に押圧しながら、ロータ７０´がコンタクト板４０へ下向きに押し付けることができるので、第１の好ましい実施例と類似した効果を達成することができる。
【産業上の利用可能性】
【００３１】
本発明の利点そして効果は次のように要約することができる。
【００３２】
ロータ７０、７０´の外周面は、斜面部分７１５、７１５´が環面部分７１４、７１４´に対して１５度から７０度の角度で形成されていることから、各折曲げ片８４、８４´の舌片８６、８６´のクリック突部８６３、８６３´にある角度で力Ｆが押圧される（図７、１２を参照）。すると、図示のように、押圧力Ｆはロータに対する径方向の分力Ｆｘと重力方向の分力Ｆｙが分けられるので、斜面部分７１５、７１５´をほどよく押圧でき、且つコンタクト板４０を下向きに押し付けることができる。したがって、可動コンタクト４５〜４９と固定接触端子３１〜３５における対応する固定コンタクト３１１、３２１、３３１、３４１、３５１の間の接触が強化されることにより、電気的接続をより確実にすることができる効果を有する。
【００３３】
また、クリック突部８６３、８６３´が斜面部分７１５、７１５´にかかる押圧力Ｆによる径方向の分力によってほどよく押圧できるので、力を大きく出さずにロータを回転させることができ、操作性を向上させることができる。
【００３４】
ここでは本発明における最も実際的で好適な実施例であると考えられるものを記載したが、本発明はこの実施例に限定されることなく、最も幅広い解釈と同等のアレンジを含む様々な変化をカバーするものとする。
【符号の説明】
【００３５】
２０…ハウジング、２２…支柱、２３１…周囲壁、２３２…底板、２３２１…切欠部、２４、２４´…ピボット、３０…コンタクトターミナルユニット、３１〜３５…固定接触端子、３１１、３２１、３３１、３４１、３５１…固定コンタクト、４０…コンタクト板、４１、５１…貫通孔、４２…中央部、４３、４４…連結部、４５〜４８…可動コンタクト、５２…小穴、７１、７１´…本体、７１１、７１１´…底面、７１２、７１２´…表面、７１３、７１３´…外周部、７１４、７１４´…環面部分、７１５、７１５´…斜面部、７１６、７１６´…凹部、７２…リング壁、７３…円筒壁、７３１…中央孔、７４…押圧部、７５…円板部、７６…ドライバ溝、７７…ベアリング部材、８１…円形開口、８２…上部プレート、８３…脚片、８４、８４´…折曲げ片、８５…切溝、８６、８６´…舌片、８６３、８６３´…クリック突部。
【図１】
2010176935.tif 000003
【図２】
2010176935.tif 000004
【図３】
2010176935.tif 000005
【図４】
2010176935.tif 000006
【図５】
2010176935.tif 000007
【図６】
2010176935.tif 000008
【図７】
2010176935.tif 000009
【図８】
2010176935.tif 000010
【図９】
2010176935.tif 000011
【図１０】
2010176935.tif 000012
【図１１】
2010176935.tif 000013
【図１２】
2010176935.tif 000014
【図１３】
2010176935.tif 000015